(57)【要約】【課題】  ディスクの損傷の発生を防止しつつディスクの収容の有無が外部から視認できるディスク保持体を提供する。【解決手段】  長尺状のシートを巻き込むように折り重ねて被保持ディスクが収容できるディスク保持体であって、該被保持ディスクの幅よりも小なる幅の載置部と、該載置部と隣接し且つ該載置部に向けて折り返し可能な第１の折返部と、該載置部と隣接し且つ該載置部に向けて折り返された該第１の折返部と対向し得る第２の折返部と、該第２の折返部と隣接し且つ該第２の折返部に向けて折り返された該載置部と対向し得る第３の折返部と、該第１の折返部と該載置部との間に設けられた第１の挿入部と、該載置部と該第２の折返部との間に設けられた貫通孔からなる第２の挿入部と、を含み、該第１の挿入部は伸長方向において該被保持ディスクの直径よりも小なる幅を有し、該第２の挿入部は伸長方向において該第１の挿入部よりも小なる幅を有する。【選択図】  図３
2008285207.tif 000002
【特許請求の範囲】
【請求項１】
長尺状のシートを長手方向において巻き込むように折り重ねて被保持ディスクが収容できるディスク保持体であって、
前記シートの長手方向において前記被保持ディスクの幅よりも小なる幅の載置部と、
前記シートの長手方向において前記載置部と隣接し且つ前記載置部に向けて折り返すことができる第１の折返部と、
前記シートの長手方向において前記載置部と隣接し且つ前記載置部に向けて折り返された前記第１の折返部と対向し得る第２の折返部と、
前記シートの長手方向において前記第２の折返部と隣接し且つ前記第２の折返部に向けて折り返された前記載置部と対向し得る第３の折返部と、
前記第１の折返部と前記載置部との境界に沿って伸長し且つ前記被保持ディスクの縁部を挿入することができる第１の挿入部と、
前記載置部と前記第２の折返部との境界に沿って伸長し且つ前記被保持ディスクの縁部を挿入することができる貫通孔からなる第２の挿入部と、を含み、
前記第１の挿入部は伸長方向において前記被保持ディスクの直径よりも小なる幅を有し、
前記第２の挿入部は伸長方向において前記第１の挿入部よりも小なる幅を有する、ことを特徴とするディスク保持体。
【請求項２】
前記第１の挿入部は貫通孔である、ことを特徴とする請求項１記載のディスク保持体。
【請求項３】
前記第２の折返部の横幅は前記載置部の横幅よりも大であり、
前記第３の折返部の横幅は前記第２の折返部の横幅よりも大である、ことを特徴とする請求項１記載のディスク保持体。
【請求項４】
前記貫通孔の伸長方向における両端部が弧状となっていることを特徴とする請求項１記載のディスク保持体。
【請求項５】
前記第３の折返部は冊子体を有することを特徴とする請求項１記載のディスク保持体。
【発明の詳細な説明】
【技術分野】
【０００１】
本発明はディスクを収納するディスク保持体に関する。
【背景技術】
【０００２】
ＣＤ、ＤＶＤ等に代表されるディスクは、パンフレットや商品と共に、或いは単独で頒布されたり、雑誌に添付されて店頭に陳列されたりする等、その流通形態が種々の分野に拡大されている。
【０００３】
かかる流通形態に対応するため、従来のディスク保持体は、板紙、四六判２００ｋｇ以上の厚紙、プラスチック板等で形成されることが多く、軽量化が困難であった。
【０００４】
また、ディスクの破損を防ぐために厚紙を封筒状にする、別品のディスク保護体を貼り付ける、等の加工をする方法もある。しかしながら、製造工程が煩雑である、コストがかかる等の問題があった。
【０００５】
そこで、台紙に、ディスクを挿入する切込み部と、少なくとも１つ以上の折り部とが形成されたディスク保持体が提案されている。例えば、図５に示す如く、ディスク保持体１０１は切込み部１０２を有する台紙１０３からなり、台紙１０３は３つの折返し領域（１０３ａ〜１０３ｃ）を有する。切込み部１０２の両端部を結ぶ線分の距離は被保持ディスク（図示せず）の直径未満である。切込み部１０２に裏面から該ディスクを挿入し、裏面が内側になるように折り部１０４を折り畳むと、裏面側のディスク周端が切込み部１０２のある面と隣り合う面との間の折り部１０４近傍となるように、切込み部１０２及び折り部１０４の位置が決められている。かかる構成のディスク保持体１０１は、被保持ディスクを切込み部１０２と当該ディスク周端の近傍に位置する折り部１０４とで保持する（特許文献１参照）。
【特許文献１】特開２００７−９９３６１公報
【発明の開示】
【発明が解決しようとする課題】
【０００６】
上記したディスク保持体において、台紙を折り畳んだ状態でディスクを収容した場合、切込み部から表面上に向けてディスクが露出する故、ディスク収容の有無を判別することが可能となる。
【０００７】
ところが、表面上においてディスクの盤面が露出する故、擦れなどによって当該ディスクの盤面に傷が付くおそれがあった。
【０００８】
また、ディスクの挿入時において衝撃により、切込み部の両端部が裂ける場合があり、ディスクが保持体から落下しやすくなるおそれがあった。
【０００９】
本発明が解決しようとする課題には、前述した問題が１例として挙げられる。
【課題を解決するための手段】
【００１０】
本発明によるディスク保持体は、長尺状のシートを長手方向において巻き込むように折り重ねて被保持ディスクが収容できるディスク保持体であって、該シートの長手方向において該被保持ディスクの幅よりも小なる幅の載置部と、該シートの長手方向において該載置部と隣接し且つ該載置部に向けて折り返すことができる第１の折返部と、該シートの長手方向において該載置部と隣接し且つ該載置部に向けて折り返された該第１の折返部と対向し得る第２の折返部と、該シートの長手方向において該第２の折返部と隣接し且つ該第２の折返部に向けて折り返された該載置部と対向し得る第３の折返部と、該第１の折返部と該載置部との境界に沿って伸長し且つ該被保持ディスクの縁部を挿入することができる第１の挿入部と、該載置部と該第２の折返部との境界に沿って伸長し且つ該被保持ディスクの縁部を挿入することができる貫通孔からなる第２の挿入部と、を含み、該第１の挿入部は伸長方向において該被保持ディスクの直径よりも小なる幅を有し、該第２の挿入部は伸長方向において該第１の挿入部よりも小なる幅を有する、ことを特徴とする。
【発明の効果】
【００１１】
上記した発明のディスク保持体によれば、被保持ディスクを収容した場合において、折返してできるシートの稜線部に第２の挿入部が位置することになるため、被保持ディスクの縁部が露出して、該ディスクが収容されていることを判別することが視認できる。
【００１２】
また、被保持ディスクの縁部が露出することになるため、ディスクの盤面が傷つき難い。
【００１３】
また、板紙ほどの強度のないリーフレット状の紙素材でも、ディスクを固定し、搬送に耐え得る強度を持ち、且つ軽量化、低コスト化を実現するディスク保持体を提供することができる。
【発明を実施するための最良の形態】
【００１４】
本発明のディスク保持体について、図面を参照しつつ詳細に説明する。
【００１５】
図１に示す如く、ディスク保持体１は、長尺状のシート２からなる。シート２は、紙、樹脂フィルムなどの折り曲げ加工ができる素材であれば、特に限定されない。ディスク保持体の運搬及び作製コストの観点から、板紙より薄く軽量な材質で形成することが好ましい。
【００１６】
シート２は、当該シートの長手方向において被保持ディスク（図１において図示せず）の幅よりも小なる幅の載置部３を含む。被保持ディスクが直径１２ｃｍのＤＶＤやＣＤである場合、１２ｃｍ未満となる。
【００１７】
シート２は、当該シート２の長手方向において載置部３と隣接し且つ載置部３に向けて折り返すことができる第１の折返部４と、当該シート２の長手方向において載置部３と隣接し且つ載置部３に向けて折り返された第１の折返部４と対向し得る第２の折返部５と、当該シート２の長手方向において第２の折返部５と隣接し且つ第２の折返部５に向けて折り返された載置部３と対向し得る第３の折返部６と、を含む。
【００１８】
シート２において、第１の折返部４と載置部３との間、載置部３と第２の折返部５との間、及び第２の折返部５と第３の折返部６との間において、折罫７が設けられている。折罫７は、シート２を巻き込むように折り重ねる際に、折り線となる部分である。
【００１９】
第１の折返部４と載置部３との間には、第１の折返部４と載置部３との境界に沿って伸長し且つ被保持ディスク（図１において図示せず）の縁部を挿入することができる第１の挿入部８が設けられている。第１の挿入部８は、伸長方向において被保持ディスク（図１において図示せず）の直径よりも小なる幅の切込みである。該被保持ディスクがＤＶＤやＣＤである場合、第１の挿入部８の幅は、１２ｃｍ未満となる。ディスクの直径よりもある程度（ディスク直径の９０％以下）短い方が、万が一切込みの端部が裂けた場合にもディスクを保持することができる。また、第１の挿入部８に挿入された該被保持ディスクが、確実に保持されるために、当該ディスクの半径以上であることが好ましい。第１の挿入部８である長手状の切込みの両端には、第１の折返部４に向かって切り込まれた弧状の返し８ａが設けられている。切込みの両端に返し８ａが設けられることにより、ディスクが第１の挿入部８に押し込まれたとしても、裂け難くなる。
【００２０】
載置部３と第２の折返部５との間には、載置部３と第２の折返部５との境界に沿って伸長し且つ被保持ディスク（図１において図示せず）の縁部を挿入することができる第２の挿入部９が設けられている。第２の挿入部９は、伸長方向において第１の挿入部８よりも小なる幅を有する貫通孔である。伸長方向における第２の挿入部（貫通孔）９の幅は、シート２を折り畳んだ状態で該被保持ディスクを保持したときに、第２の挿入部９から露出する該ディスクの露出量を小とするため、該ディスクの半径未満であることが好ましい。
【００２１】
第１の挿入部８と第２の挿入部９は、シート２の長手方向において互いに向き合うように配置されている。また、第１の挿入部８及び第２の挿入部９の伸長方向における中間点同士を結ぶ線は、シート２の長手方向と平行となっている。
【００２２】
次に、ディスク保持体に、被保持ディスクを収容する場合について説明する。図２に示す如く、被保持ディスク１０の端部を、第１及び第２の挿入部８，９に挿入する（図２（ａ））。続いて、第１の折返部４を載置部３に向けて折り返し（図２（ｂ））、さらに載置部３を第２の折返部５に向けて折り返す（図２（ｃ））。
【００２３】
さらに続けて、第２の折返部５を第３の折返部６に向けて折り返し、被保持ディスク１０がディスク保持体１に収容される（図２（ｄ））。収容された被保持ディスク１０の端部は、第２の挿入部８から外に向けて突出する。従って、被保持ディスク１０がディスク保持体１内に収容されていることを確認することができる。
【００２４】
なお、第２の折返部５の横幅（シート２の長手方向の幅。以下同様。）を載置部３の横幅よりも大とし、第３の折返部６の横幅を第２の折返部５の横幅よりも大とすることが好ましい。かかる構成とすることによって、シート２を折り畳んだ場合に、被保持ディスクを包み込むことが出来る。また、第２の挿入部から突出した被保持ディスクの端部が第３の折返部６の縁辺よりも内側に位置することとなり、ディスク端部を折返部６によって保護することができる。
【００２５】
変形例として、図３（ａ）に示す如く、第１の挿入部８が貫通孔であっても良い。その他の構成は、上記したディスク保持体と略同様の構成である。第１の挿入部８を貫通孔とした場合、切込みの場合に比べて強度が向上する。すなわち、ディスクの縁部と貫通孔の端部との接触部分が増える故、貫通孔の端部にかかる負荷が分散されることとなり、当該端部から引き裂かれることが防止される。換言すれば、第１の挿入部の拡大を防止することができる。
【００２６】
特に、第１の挿入部が第２の挿入部に比べて幅が大きいことから、ディスクの挿入時に第１の挿入部の端部に負荷がかかりやすい。従って、第１の挿入部を貫通孔とすることによって、ディスク保持体の損傷を防止することが出来る。
【００２７】
なお、貫通孔の伸長方向における両端部は弧状となっていることが好ましい。弧状とすることによって、該端部にかかる負荷を効率よく分散させることが出来る。
【００２８】
図３（ａ）に示す如きディスク保持体１に、被保持ディスクを収容する場合について説明する。図４に示す如く、被保持ディスク１０の端部を、第１及び第２の挿入部８，９に挿入する（図４（ａ））。続いて、第１の折返部４を載置部３に向けて折り返し（図４（ｂ））、さらに載置部３を第２の折返部５に向けて折り返す（図４（ｃ））。
【００２９】
さらに続けて、第２の折返部５を第３の折返部６に向けて折り返し、被保持ディスク１０がディスク保持体１に収容される（図４（ｄ））。ここで、被保持ディスク１０の端部は、第２の挿入部８から外に向けて突出する。かかる構成によって、被保持ディスク１０がディスク保持体１内に収容されていることを確認することができる。
【００３０】
なお、上記した何れの実施例においても、第３の折返部６に、冊子体１１を設けることが出来る（例えば図３（ｂ）参照）。冊子体１１を設けることによって、ディスク保持体自体の情報伝達機能を向上させることが出来る。また、被保持ディスクがＣＤ、ＤＶＤ等の情報記録媒体である場合、当該ディスクに担持されている情報に関連する情報を記載しておくことによって、ディスク内の情報を再生する前に当該内容を確認することができる。また、冊子体１１に広告を掲載することも出来る故、ディスク保持体の配布による広告機能を向上させることが出来る。
【００３１】
また、上記したディスク保持体の端部を冊子に綴じ込んで使用してもよい。例えば、シートの外縁でありかつ第３の折返部の端部の近傍を冊子に綴じ込むこととしても良い。かかる構成の場合、第３の折返部の端部に綴じ込み用の糊代を設けておく必要がある。
【００３２】
なお、被保持ディスクの保持が確実になるように、折り重ねたシートを粘着テープ等の固定部材を用いて固定することとしても良い。例えば、第1の折返部４、載置部３及び第２の折返部５を順に折り重ねて、被保持ディスク１０をシート２で包んだ場合（例えば図２（ｃ）及び図４（ｃ））において、載置部３と第２の折返部５との間を跨ぐように粘着テープ（図示せず）を貼付することとしても良い。なお、該粘着テープは、シート２に貼り付けたときに、接着強度が維持されるように、被保持ディスク１０に重ならないように貼り付けることが好ましい。例えば、第１の挿入部８の端部とシート２の縁辺との間に、該粘着テープを貼り付けることとしても良い。粘着テープによってシートの折り重ねた部分を固定することによって、シートが開くことを防止できる故、ディスク保持体を袋体内に挿入しなくても、確実に被保持ディスクを収容することができる。
【実施例】
【００３３】
シート２の一例として、シートサイズが３７２×１８２ｍｍ、折畳みサイズが１２８×１８２ｍｍ（Ｂ６判）となる４つ折りリーフレット状のディスク保持体について説明する。
【００３４】
図３（ｂ）に示す如きディスク保持体において、第１の折返部４の横幅を２２．５ｍｍ、載置部３の横幅を９８．５ｍｍ、第２の折返部の横幅を１２３ｍｍ、及び第３の折返部の横幅を１２８ｍｍとした。また、第１の挿入部の伸長方向における幅を８８ｍｍとし、第２の挿入部の伸長方向における幅を４７ｍｍとした。また、第１及び第２の挿入部である貫通孔の幅（シートの長手方向の幅）を６ｍｍとした。
【００３５】
上記のディスク保持体において、被保持ディスクを保持したときに、第２の挿入部９から該ディスクの端部が突出して視認できた。また、該ディスクの端部が冊子体を有する第３の折返部の縁辺よりも内側に位置していることにより、該ディスクの端部を保護することができた。
【００３６】
また、被保持ディスクの盤面のほとんどをシートで包むことが出来る故、ディスク保持体を袋体に収納しなくても、ディスクの盤面を保護することができた。
【図面の簡単な説明】
【００３７】
【図１】本発明のディスク保持体を示す平面図である。
【図２】図１に示すディスク保持体に被保持ディスクを収容する手順を順に示した平面図である。
【図３】本発明のディスク保持体を示す平面図である。
【図４】図３に示すディスク保持体に被保持ディスクを収容する手順を順に示した平面図である。
【図５】従来のディスク保持体を示す平面図である。
【符号の説明】
【００３８】
１  ディスク保持体
２  シート
３  載置部
４  第１の折返部
５  第２の折返部
６  第３の折返部
７  折罫
８  第１の挿入部
９  第２の挿入部
１０  被保持ディスク
１１  冊子体
【図１】
2008285207.tif 000003
【図２】
2008285207.tif 000004
【図３】
2008285207.tif 000005
【図４】
2008285207.tif 000006
【図５】
2008285207.tif 000007